(57)【特許請求の範囲】
【請求項１】
複数の端末装置に、Ｎ倍速度（Ｎ＞１）で再生されるように処理された動画コンテンツを配信する配信部と、
前記動画コンテンツの視聴履歴を収集する収集部と、
前記収集部によって収集された視聴履歴に基づいて、注目度に応じた複数の再生区域を推定する推定部と、
注目度が高いと推定される第１の再生区域が一定速度で再生され、前記第１の再生区域よりも注目度が低いと推定される第２の再生区域が前記Ｎ倍速度（Ｎ＞１）で再生されるように前記動画コンテンツを加工するコンテンツ加工部を有する調整部と、
を備え、
前記配信部は、
前記動画コンテンツおよび前記コンテンツ加工部により加工された加工動画コンテンツを再生する動画再生アプリケーションを前記端末装置に配信するアプリ配信部を有し、
前記動画再生アプリケーションは、
前記動画コンテンツの再生速度を変更する速度変更ボタンを前記端末装置に表示し、前記速度変更ボタンが操作された場合、前記動画コンテンツは、前記速度変更ボタンの操作時点における前記動画コンテンツの再生速度に基づいて決定された時間だけ前記速度変更ボタンの操作時点から巻き戻された位置から再生速度を落として再生されることを特徴とする動画処理装置。
【請求項２】
前記収集部は、
前記配信部により配信された前記動画コンテンツに対する前記端末装置による前記視聴履歴を各前記端末装置から収集して集計し、
前記推定部は、
前記視聴履歴の集計結果に基づき推定される注目度に応じて前記第１の再生区域および前記第２の再生区域を推定する
ことを特徴とする請求項１に記載の動画処理装置。
【請求項３】
前記配信部は、
再生速度をＮ倍速（Ｎ＞１）とした前記動画コンテンツを前記端末装置に配信する第１の配信部と、
前記推定部の推定結果に基づいて、前記第１の再生区域の再生速度が１倍速に、前記第２の再生区域の再生速度がＮ倍速となるように処理された加工動画コンテンツを前記端末装置に配信する第２の配信部と
を有することを特徴とする請求項１または２に記載の動画処理装置。
【請求項４】
前記動画再生アプリケーションは、
前記動画コンテンツおよび前記加工動画コンテンツを表示する主表示領域と、第１および第２の副表示領域を前記端末装置に表示し、
前記第１の副表示領域は、前記主表示領域に表示されるシーンよりも前の先行シーンを表示し、
前記第２の副表示領域は、前記主表示領域に表示されるシーンに続く後続シーンを表示する
ことを特徴とする請求項１〜３のいずれか一つに記載の動画処理装置。
【請求項５】
コンピュータが実行する動画処理方法であって、
複数の端末装置に、Ｎ倍速度（Ｎ＞１）で再生されるように処理された動画コンテンツを配信する配信工程と、
前記動画コンテンツの視聴履歴を収集する収集工程と、
前記収集工程によって収集された視聴履歴に基づいて、注目度に応じた複数の再生区域を推定する推定工程と、
注目度が高いと推定される第１の再生区域が一定速度で再生され、前記第１の再生区域よりも注目度が低いと推定される第２の再生区域が前記Ｎ倍速度（Ｎ＞１）で再生されるように前記動画コンテンツを加工する調整工程と、
を含み、
前記配信工程は、
前記動画コンテンツおよび前記調整工程により加工された加工動画コンテンツを再生する動画再生アプリケーションを前記端末装置に配信するアプリ配信工程を有し、
前記動画再生アプリケーションは、
前記動画コンテンツの再生速度を変更する速度変更ボタンを前記端末装置に表示し、前記速度変更ボタンが操作された場合、前記動画コンテンツは、前記速度変更ボタンの操作時点における前記動画コンテンツの再生速度に基づいて決定された時間だけ前記速度変更ボタンの操作時点から巻き戻された位置から再生速度を落として再生される
ことを特徴とする動画処理方法。
【請求項６】
複数の端末装置にＮ倍速度（Ｎ＞１）で再生されるように処理された動画コンテンツを配信する配信手順と、
前記動画コンテンツの視聴履歴を収集する収集手順と、
前記収集手順によって収集された視聴履歴に基づいて、注目度に応じた複数の再生区域を推定する推定手順と、
注目度の高いと推定される第１の再生区域が一定速度で再生され、前記第１の再生区域よりも注目度が低いと推定される第２の再生区域が前記Ｎ倍速度（Ｎ＞１）で再生されるように前記動画コンテンツを加工する調整手順と、
をコンピュータに実行させる動画処理プログラムであって、
前記配信手順は、
前記動画コンテンツおよび前記調整手順により加工された加工動画コンテンツを再生する動画再生アプリケーションを前記端末装置に配信するアプリ配信手順を有し、
前記動画再生アプリケーションは、
前記動画コンテンツの再生速度を変更する速度変更ボタンを前記端末装置に表示し、前記速度変更ボタンが操作された場合、前記動画コンテンツは、前記速度変更ボタンの操作時点における前記動画コンテンツの再生速度に基づいて決定された時間だけ前記速度変更ボタンの操作時点から巻き戻された位置から再生速度を落として再生される
ことを特徴とする動画処理プログラム。
【発明の詳細な説明】
【技術分野】
【０００１】
本発明は、動画処理装置、動画処理方法および動画処理プログラムに関する。
【背景技術】
【０００２】
近年、インターネットを用いて動画コンテンツを配信する動画配信サービスが普及してきた。かかる動画配信サービスで提供される動画コンテンツが、例えば、映画やスポーツの試合などのように再生時間が長くなる場合、データサイズの制限や編集上の理由により、１つの動画コンテンツが複数の動画コンテンツに分けられることがある。
【０００３】
そのような場合、動画配信サービスを受けるユーザは、内容が連続する複数の動画コンテンツを、内容の順番に沿って一つずつ表示させなければ全編を視聴することができない。そこで、内容が連続する一連の動画コンテンツ群をシリーズ動画として探索し、シリーズ動画の再生順を算定して順次再生する動画処理を行うものが提案された（例えば、特許文献１を参照）。
【先行技術文献】
【特許文献】
【０００４】
【特許文献１】特開２０１０−２６８１０３号公報
【発明の概要】
【発明が解決しようとする課題】
【０００５】
しかしながら、結局のところ、視聴する動画コンテンツが長編の場合、それを全編見るためには、当然ながら時間を要する。他方、時間を節約するため、例えば動画コンテンツを早送りして視聴しようとすると、大事なところを見逃してしまうおそれがある。
【０００６】
本願は、上記に鑑みてなされたものであって、長編の動画コンテンツを、短い時間でありながら内容を十分に理解して楽しむことができる動画処理装置、動画処理方法および動画処理プログラムを提供することを目的とする。
【課題を解決するための手段】
【０００７】
本願に係る動画処理装置は、配信部と、収集部と、推定部と、調整部とを備える。配信部は、複数の端末装置に、Ｎ倍速度（Ｎ＞１）で再生されるように処理された動画コンテンツを配信する。収集部は、前記動画コンテンツの視聴履歴を収集する。推定部は、前記収集部によって収集された視聴履歴に基づき、注目度に応じた複数の再生区域を推定する。調整部は、注目度が高いと推定される第１の再生区域が一定速度で再生され、前記第１の再生区域よりも注目度が低いと推定される第２の再生区域が前記Ｎ倍速度（Ｎ＞１）で再生されるように前記動画コンテンツを加工するコンテンツ加工部を有する。そして、前記配信部は、前記動画コンテンツおよび前記コンテンツ加工部により加工された加工動画コンテンツを再生する動画再生アプリケーションを前記端末装置に配信するアプリ配信部を有し、前記動画再生アプリケーションは、前記動画コンテンツの再生速度を変更する速度変更ボタンを前記端末装置に表示し、前記速度変更ボタンが操作された場合、前記動画コンテンツは、前記速度変更ボタンの操作時点における前記動画コンテンツの再生速度に基づいて決定された時間だけ前記速度変更ボタンの操作時点から巻き戻された位置から再生速度を落として再生される。
【発明の効果】
【０００８】
実施形態の一態様によれば、長編の動画コンテンツを短い時間に短縮しながらも視聴者を楽しませることができる動画処理装置、動画処理方法および動画処理プログラムを提供することができる。
【図面の簡単な説明】
【０００９】
【図１】図１は、動画処理された動画の一例を示す模式図である。
【図２】図２は、実施形態に係る動画処理装置の概要を示す説明図である。
【図３】図３は、実施形態に係る動画処理システムの一例を示す図である。
【図４】図４は、動画配信要求に含まれる情報の一例を示す図である。
【図５】図５は、実施形態に係る動画処理装置の構成の一例を示す図である。
【図６】図６は、動画処理前の動画コンテンツの一例を示す模式図である。
【図７】図７は、実施形態に係る動画処理装置における処理の流れの概要を示す説明図である。
【図８】図８は、動画再生アプリケーションにより表示される動画再生画面の一例を示す図である。
【図９】図９は、実施形態に係る動画処理装置による動画処理の一例を示すフローチャートである。
【図１０】図１０は、実施形態に係る動画処理装置による再生速度調整処理の一例を示すフローチャートである。
【図１１】図１１は、他の実施形態に係る動画処理の一例を示すフローチャートである。
【図１２】図１２は、他の実施形態に係る再生速度調整処理の一例を示すフローチャートである。
【図１３】図１３は、動画処理装置などの機能を実現するコンピュータの一例を示すハードウェア構成図である。
【発明を実施するための形態】
【００１０】
以下に、本願に係る動画処理装置、動画処理方法および動画処理プログラムの実施形態について図面を参照しつつ詳細に説明する。なお、この実施形態により本願に係る動画処理装置、動画処理方法および動画処理プログラムが限定されるものではない。
【００１１】
［１．動画処理の概要］
以下、実施形態に係る動画処理装置における処理の概要について説明する。図１は、動画処理された動画の一例を示す模式図、図２は、実施形態に係る動画処理装置の概要を示す説明図である。
【００１２】
実施形態に係る動画処理装置によって処理されて、再生された動画を処理済動画３００と呼ぶとすると、処理済動画３００には、図１に示すように、一定速度で再生される定速再生部ＳＰ１と高速再生部ＳＰ２とが含まれている。
【００１３】
すなわち、長編の動画コンテンツの場合、必ずしも全編通して重要なシーンばかりで構成されているとは限らない。中には高速再生（早送り）しても支障のないシーン、換言すれば注目度の低いシーンが含まれていることも多い。そこで、例えば動画配信サービスを利用するユーザ（以下、視聴者という場合がある）の注目度の高いシーンを一定速度で再生し、注目度の低いシーンを高速再生するようにしている。
【００１４】
図１に示す処理済動画３００が提供されることにより、視聴者は、長編の動画であっても、その内容を理解しつつ、より短時間で楽しむことができる。
【００１５】
かかる処理済動画３００を提供する動画処理装置１は、概略的に図２に示す構成を備える。すなわち、動画処理装置１は、収集部１２１と、推定部１２２と、調整部１２３とを備える。収集部１２１は、動画コンテンツの視聴履歴を収集する。推定部１２２は、収集部１２１によって収集された視聴履歴に基づいて、注目度に応じた複数の再生区域を推定する。調整部１２３は、複数の再生区域のうち、少なくとも一部の再生区域の再生速度を調整する。例えば、調整部１２３は、処理済動画３００において、視聴者の注目度が高いと推定される定速再生部ＳＰ１と、視聴者の注目度が低いと推定される高速再生部ＳＰ２とが再生されるように調整する。そのためには、注目度が高いと推定される第１の再生区域と注目度が低いと推定される第２の再生区域とを推定部１２２により推定し、調整部１２３は、第２の再生区域の再生速度が、第１の再生区域の再生速度よりも速くなるように動画コンテンツの再生速度を調整するとよい。
【００１６】
［２．動画処理装置１］
ここで、動画処理装置１について、より具体的に説明する。図３は、実施形態に係る動画処理システムの一例を示す図、図４は、動画配信要求に含まれる情報の一例を示す図である。また、図５は、実施形態に係る動画処理装置１の構成の一例を示す図であり、図６は、動画処理前の動画コンテンツの一例を示す模式図である。そして、図７は、実施形態に係る動画処理装置１における処理の流れの概要を示す説明図である。
【００１７】
図３に示すように、実施形態に係る動画処理システム１００では、動画処理装置１と複数の端末装置２とが通信ネットワーク３を介して相互に通信可能に接続される。通信ネットワーク３は、例えばインターネットなどである。端末装置２は、例えば、ユーザによって利用されるＰＣ（Personal  Computer）、ＰＤＡ（Personal  Digital  Assistant）、スマートフォンなどであり、ブラウザアプリケーション（以下、ブラウザと記載する）がインストールされている。
【００１８】
動画処理装置１は、通信ネットワーク３との間で情報の送受信を行う通信インターフェースである通信部１１と、図２に示した収集部１２１、推定部１２２および調整部１２３に加え、配信部１２４を有する制御部１２と、記憶部１３とを有する。
【００１９】
すなわち、動画処理装置１は、通信部１１および通信ネットワーク３を介して端末装置２との間で所定の情報を送受信するとともに、所定の動画コンテンツを配信することができる。例えば、通信部１１は、端末装置２から図４に示す動画配信要求を受信し、ユーザの要求に応じた動画コンテンツを端末装置２へ送信することができる。図４に示すように、動画配信要求には、識別情報として、ユーザＩＤ、ＩＰアドレス、動画コンテンツを規定するコンテンツＩＤが含まれる。
【００２０】
制御部１２は、動画処理装置１を制御するデバイスであり、動画コンテンツの加工処理や動画コンテンツなどを端末装置２へ配信する配信処理を行う。制御部１２は、例えば、ＡＳＩＣ（Application  Specific  Integrated  Circuit）やＦＰＧＡ（Field  Programmable  Gate  Array）等の集積回路により実現される。
【００２１】
また、制御部１２は、内部のＣＰＵ（Central  Processing  Unit）またはＭＰＵ（Micro  Processing  Unit）によって、動画処理プログラム１３１や配信プログラムなどの各プログラムがＲＡＭを作業領域として実行されることによって、各種の機能部としての役割を果たす。例えば、制御部１２は、動画処理プログラム１３１がＲＡＭを作業領域として実行されることによって、収集部１２１、推定部１２２、調整部１２３として機能する。また、制御部１２は、配信プログラムがＲＡＭを作業領域として実行されることによって、配信部１２４として機能する。
【００２２】
記憶部１３は、各種情報を記憶するデバイスである。記憶部１３としては、例えば、ＲＡＭ（Random  Access  Memory）、フラッシュメモリなどの半導体メモリ素子や、ハードディスク、光ディスクなどの記憶装置が挙げられる。記憶部１３は、制御部１２で実行されるＯＳ（Operating  System）や動画処理プログラム１３１や、端末装置２に配信される動画再生アプリケーション１３４などの各種プログラムを記憶する。さらに、記憶部１３は、様々な動画コンテンツを格納したコンテンツＤＢ１３２、後述する加工動画コンテンツ１３３を有する。なお、ここでＤＢとは「データベース」を指す。
【００２３】
ここで、動画処理装置１について、図５を用いてさらに詳述する。制御部１２の収集部１２１は、前述したように、動画コンテンツの視聴履歴を収集する機能を有する。本実施形態に係る収集部１２１は、配信部１２４により配信されたオリジナル動画コンテンツ２００（図６）に対する各端末装置２による視聴履歴を、各端末装置２から収集して集計する機能を有する。
【００２４】
ここで、視聴履歴とは、例えば、オリジナル動画コンテンツ２００を視聴している視聴者による動画コンテンツに対する操作記録を指す。この場合は、オリジナル動画コンテンツ２００に対する視聴者による再生速度の変更操作などの記録である。したがって、視聴履歴には、オリジナル動画コンテンツ２００の再生速度を示す情報またはオリジナル動画コンテンツ２００の再生位置を示す情報の少なくとも一方が含まれる。
【００２５】
ところで、本実施形態では、オリジナル動画コンテンツ２００は、図６に示すように、通常の再生速度であった元来の動画コンテンツよりも高速であるＮ倍速度で再生されるように処理されている。なお、Ｎ倍速で再生する場合、音声として意味不明となりがちなため、ここでは、分割したオリジナルの音声データの頭出しを繋げるなどの処理を行い、例えば、「ａｂａｂｃｄｃｄｅｆｅｆ」の音声が「ａｂｃｄｅｆ」と聞こえるようするとよい。
【００２６】
推定部１２２は、上述した視聴履歴の集計結果に基づいて、ユーザの注目度が高いと推定される第１の再生区域と、ユーザの注目度が低いと推定される第２の再生区域を推定する機能を有する。
【００２７】
調整部１２３は、推定部１２２の推定結果に基づいて動画コンテンツを加工するコンテンツ加工部１２３ａを有する。このコンテンツ加工部１２３ａは、複数の再生区域のうち、ユーザの注目度が高いと推定される第１の再生区域が一定速度で再生されるようにオリジナル動画コンテンツ２００を加工する。また、コンテンツ加工部１２３ａは、第１の再生区域よりもユーザの注目度が低いと推定される第２の再生区域が、一定速度よりも高速で再生されるようにオリジナル動画コンテンツ２００を加工する。
【００２８】
そして、図１に示したように、第１の再生区域に対応する定速再生部ＳＰ１と、第２の再生区域に対応する高速再生部ＳＰ２とが決定される。ここで、一定速度とは、通常の１倍速を指すが、必ずしも１倍速に限定されるものではなく、所謂スローモーションで再生される速度を含む。また、第２の再生区域に対応する高速再生部ＳＰ２は、例えば１倍速に対してＮ倍速（Ｎ＞１）で再生されるが、その再生速度は１種類ではなく、注目度に応じて２倍速、４倍速、８倍速、・・と段階的に変えることもできる。すなわち、注目度が低いと推定される再生区域ほど再生速度を早くすることができる。
【００２９】
コンテンツ加工部１２３ａで加工された加工動画コンテンツ１３３は、記憶部１３に記憶される。なお、加工動画コンテンツ１３３には、定速再生部ＳＰ１と高速再生部ＳＰ２（図１を参照）とで全体が編集されたコンテンツ（編集動画コンテンツと呼ぶ場合がある）と、定速再生フラグもしくは高速再生フラグが記録されたコンテンツとがある。これら加工動画コンテンツ１３３が再生されてユーザに視聴されるものが図１に示した処理済動画３００である。
【００３０】
配信部１２４は、第１の配信部１２４ａと、第２の配信部１２４ｂと、アプリ配信部１２４ｃとを有する。第１の配信部１２４ａは、再生速度をＮ倍速（Ｎ＞１）としたオリジナル動画コンテンツ２００を端末装置１に配信する。第２の配信部１２４ｂは、推定部１２２の推定結果に基づいて、第１の再生区域の再生速度が１倍速で、第２の再生区域の再生速度がＮ倍速で再生されるように処理された加工動画コンテンツ１３３を端末装置１に配信する。また、アプリ配信部１２４ｃは、オリジナル動画コンテンツ２００および加工動画コンテンツ１３３を再生する動画再生アプリケーション１３４を端末装置２に配信する。
【００３１】
上記構成により、動画処理装置１は、図７に示すようにして、加工動画コンテンツ１３３を端末装置２に配信する。すなわち、動画処理装置１は、端末装置２から動画配信要求（図４を参照）を受け付けると（Ｓ１）、先ず、オリジナル動画コンテンツ２００を端末装置２に配信する（Ｓ２）。動画配信要求により特定された動画コンテンツは、記憶部１３のコンテンツＤＢ１３２から読み出され、オリジナル動画コンテンツ２００として第１の配信部１２４ａにより端末装置２へ配信される。
【００３２】
次いで、動画処理装置１は、端末装置２から視聴履歴を収集する（Ｓ３）。このとき、同じオリジナル動画コンテンツ２００が複数の端末装置２へ配信されている場合、動画処理装置１は、各端末装置２から視聴履歴を収集して集計する。
【００３３】
そして、視聴履歴の集計結果に基づいて、第１の再生区域および第２の再生区域を推定する。そして、推定結果に基づいて、第１の再生区域に対応して定速再生部ＳＰ１が再生され、第２の再生区域に対応して高速再生部ＳＰ２が再生されるように、加工動画コンテンツ１３３を各端末装置２に配信する。
【００３４】
その結果、各端末装置２で加工動画コンテンツ１３３が再生されると、ユーザの注目度が高いと推定されたシーンが通常の等倍速度で再生され、注目度が低いと推定されたシーンが高速再生されることになる（図１を参照）。このとき、注目度が低いと推定されたシーンについての高速再生速度は、前述したように、注目度に応じて高速度合を変えてもよい。
【００３５】
ここで、ユーザの注目度を推定するための視聴履歴の収集について説明する。なお、以下では、ユーザの端末装置２には、動画処理装置１から動画再生アプリケーション１３４が配信済みの場合について説明する。図８は、動画再生アプリケーション１３４により表示される動画再生画面の一例を示す図である。
【００３６】
動画再生アプリケーション１３４を立ち上げると、図８に示すように、端末装置２の表示画面上には動画再生画面７が表れる。動画再生画面７は、主表示領域である動画再生メイン領域７０ａと、副表示領域である動画再生サブ領域７０ｂと、各種操作部７３と、注目ボタン７４とが表示される。動画再生サブ領域７０ｂは、第１の副表示領域である第１サブ領域７１と第２の副表示領域である第２サブ領域７２とが、動画再生メイン領域７０ａの横側位置に上下に並設される。
【００３７】
動画再生メイン領域７０ａは、オリジナル動画コンテンツ２００および加工動画コンテンツ１３３を通常表示する。一方、第１の副表示領域である第１サブ領域７１は、動画再生メイン領域７０ａに表示されるシーン（例えば、シーンＥＦＧＨ）よりも前の先行シーン（例えば、シーンＡＢＣＤ）を表示する。また、第２の副表示領域である第２サブ領域７２は、動画再生メイン領域７０ａに表示されるシーンに続く後続シーン（例えば、シーンＩＪＫＬ）を表示する。なお、本実施形態におけるオリジナル動画コンテンツ２００は、通常表示において予めＮ倍速度で再生されるように処理された動画コンテンツであり、１倍速で視聴すると、例えば１時間以上はかかるような長編動画コンテンツを短時間で視聴することが可能である。
【００３８】
各種操作部７３は、動画再生画面７の下部縁に沿って帯状に表示される。各種操作部７３では、再生開始ボタン、停止ボタン、ポーズボタン、早送りボタン、巻き戻しボタン、音量ボタンなどが設けられ、動画再生時に必要な操作を行うことができる。
【００３９】
注目ボタン７４は、オリジナル動画コンテンツ２００の再生速度を変更する速度変更ボタンとしての機能を有し、動画再生画面７の上部右角の位置に表示される。この注目ボタン７４の直下には第２サブ領域７２が位置している。
【００４０】
オリジナル動画コンテンツ２００が動画再生メイン領域７０ａにおいて、Ｎ倍速で再生されているときにこの注目ボタン７４が操作されると、操作に応じて再生速度が１倍速に変更される。すなわち、視聴者が、Ｎ倍速で再生されているオリジナル動画コンテンツ２００を視聴中に、じっくりと見たいシーンと判断したときにこれを操作すると、これまでＮ倍速で再生されていたものが１倍速で再生される。
【００４１】
オリジナル動画コンテンツ２００が、動画再生メイン領域７０ａにおいてＮ倍速で再生されているときにこの注目ボタン７４が操作されると、操作に応じて再生速度が１倍速に変更される。すなわち、視聴者が、Ｎ倍速で再生されているオリジナル動画コンテンツ２００を視聴中に、じっくりと見たいシーンと判断したときにこれを操作すると、これまでＮ倍速で再生されていたものが１倍速で再生される。
【００４２】
この注目ボタン７４の操作で、再生速度をＮ倍速から１倍速にする期間を、例えばｍ秒間とするなど、予め定めておくとよい。なお、このとき、１倍速で再生される期間の開始位置は、注目ボタン７４の操作からｎ秒巻き戻された位置とする。なお、ｎ秒巻き戻すのは、Ｎ倍速で視聴中に、このシーンは大切だと思ったときには、大概の場合シーンは先に進んでいることが予想されるからである。
【００４３】
また、再生速度をＮ倍速から１倍速にする期間は、その都度操作で設定できるようにしてもよい。例えば、注目ボタン７４を押してｎ秒巻き戻すのは同じであるが、ｍ秒経過でＮ倍速に戻るのではなく、再度注目ボタン７４が押されてはじめてＮ倍速に戻るようにするなど、操作によって期間を定めることもできる。
【００４４】
また、注目ボタン７４の操作時点から巻き戻される所定時間（ここではｎ秒）は、注目ボタン７４の操作時点におけるオリジナル動画コンテンツ２００の再生速度に基づいて決定されるようにすることができる。例えば、オリジナル動画コンテンツ２００が８倍速で再生されているときに注目ボタン７４が操作されると１６秒間巻き戻し、オリジナル動画コンテンツ２００が４倍速で再生されているときに注目ボタン７４が操作されると２秒間巻き戻すようにするのである。このように、巻き戻す時間を再生速度に基づいて決定することにより、再生速度にかかわらず同じシーンから１倍速で再生が開始されることになる。
【００４５】
本実施形態では、動画再生メイン領域７０ａに表示されるシーン（例えば、シーンＥＦＧＨ）に対し、先行シーン（例えば、シーンＡＢＣＤ）を表示する第１サブ領域７１と、後続シーン（例えば、シーンＩＪＫＬ）を表示する第２サブ領域７２を備えている。したがって、動画再生メイン領域７０ａで再生中の前後のシーンを同時に見ることができるため、注目ボタン７４の操作タイミングを失することを可及的に防止することができる。
【００４６】
そして、本実施形態では、少なくともかかる注目ボタン７４の操作については、端末装置２から動画処理装置１へ視聴履歴としてフィードバックされることになる（図７を参照）。制御部１２の収集部１２１は、注目ボタン７４の操作されたタイミング、すなわち、注目ボタン７４が押されたときのオリジナル動画コンテンツ２００の再生位置を示す情報を視聴履歴として取得する。
【００４７】
このようにして、同じオリジナル動画コンテンツ２００に対して、複数の端末装置２からの操作履歴が収集部１２１に収集されると、収集部１２１は、これらを集計する。そして、集計結果に基づいて、動画処理装置１における制御部１２の推定部１２２では、長編のオリジナル動画コンテンツ２００の中で、注目度の高いシーン（第１の再生区域）と、相対的に注目度の低いシーン（第２の再生区域）とに区分する。
【００４８】
なお、注目度の推定は、オリジナル動画コンテンツ２００の再生位置が略共通しているところにおける注目ボタン７４の操作回数が閾値を超えた場合に注目度が高いと判断するなど、適宜定めておくことができる。その場合、注目ボタン７４の操作回数が閾値以下の場合は、注目度は低いと推定されることになる。
【００４９】
なお、操作履歴については、すべての端末装置２を平等に扱うのではなく、端末装置２ごとに重みづけをして、収集した操作履歴をポイント化し、かかるポイントに基づいて注目度の推定を行うこともできる。例えば、オリジナル動画コンテンツ２００を全編視聴した端末装置２の重み付け係数を「１」と設定し、中途までしか視聴していない端末装置２の重み付け係数を「０．１」、「０．５」、「０．８」などと適宜設定する。このようにすることで、視聴履歴を用いた注目度の高低の推定精度を向上させることができる。
【００５０】
また、重み付けを付与する方法として、例えば、端末装置２からの視聴履歴において、注目ボタン７４の操作回数全体と、ある時間内（開始から２０分以内、開始から２０〜４０分以内など）における注目ボタン７４の操作回数の割合を用いることもできる。
【００５１】
ところで、オリジナル動画コンテンツ２００を、それぞれ再生シーンをずらして３つの画面（動画再生メイン領域７０ａ、第１サブ領域７１、第２サブ領域７２）で再生するには、例えば、以下の方法などがある。例えば、端末装置２は、動画処理装置１から３つの同じオリジナル動画コンテンツ２００のデータを受信し、第１のオリジナル動画コンテンツ２００を、先行して第１サブ領域７１で再生させる。次いで、第２のオリジナル動画コンテンツ２００を、動画再生メイン領域７０ａで再生させ、その後に第３のオリジナル動画コンテンツ２００を第２サブ領域７２で再生させるのである。
【００５２】
あるいは、動画処理装置１から配信されるオリジナル動画コンテンツ２００をバッファしながら、端末装置２側でコピーし、それらを用いることもできる。すなわち、先ず、オリジナル動画コンテンツ２００を第１サブ領域７１で先行して再生させる。そして、次いでコピーしたオリジナル動画コンテンツ２００を動画再生メイン領域７０ａで再生させ、その後、やはりコピーしたオリジナル動画コンテンツ２００を第２サブ領域７２で再生させるのである。
【００５３】
また、Ｎ倍速のオリジナル動画コンテンツ２００を視聴中に、注目ボタン７４を操作すると、１倍速に変更されるようにするには、以下の方法が考えられる。すなわち、端末装置２から動画配信要求（図７を参照）を受けた動画処理装置１は、端末装置２に、Ｎ倍速に編集されたオリジナル動画コンテンツ２００に加え、１倍速のままに編集された第２のオリジナル動画コンテンツ２００をも同時に配信するのである。
【００５４】
したがって、再生速度の異なる２つのオリジナル動画コンテンツ２００を記憶した端末装置２では、注目ボタン７４の操作に応じて、１倍速である第２のリジナル動画コンテンツ２００を読み出し、見かけ上、再生速度がＮ倍速から１倍速に切り替わったようにすることができる。
【００５５】
動画コンテンツの再生速度が見かけ上変更されたようにする上述の手法は、加工動画コンテンツ１３３の再生処理にも適用することができる。すなわち、動画処理装置１は、端末装置２に、加工動画コンテンツ１３３として、２つの加工動画コンテンツ１３３を配信するのである。１つは、注目度が高いと推定された第１の再生区域に対応して１倍速で再生すべき位置を示す再生情報が記録されたＮ倍速の加工動画コンテンツ１３３である。これは、再生情報が記録された以外は、オリジナル動画コンテンツ２００と内容的に変わらない。２つ目は、１倍速のままに編集された第２のオリジナル動画コンテンツ２００を裏加工動画コンテンツとしても同時に配信するのである。
【００５６】
このように、加工動画コンテンツ１３３としては、２つのものがある。１つは、前述したように、定速再生部ＳＰ１と高速再生部ＳＰ２（図１を参照）とが含まれるように全編編集された編集動画コンテンツであり、２つ目は、再生情報としての定速再生フラグもしくは高速再生フラグが記録された加工動画コンテンツ１３３である。
【００５７】
上述してきた動画再生アプリケーション１３４を用いて、例えば、オリジナル動画コンテンツ２００がサッカーの試合である場合、最終的な加工動画コンテンツ１３３ではどのような態様で再生されるかについて説明する。
【００５８】
オリジナル動画コンテンツ２００では、例えば、試合開始前の選手入場シーンからキックオフを経て前半終了、１５分の休憩時間を挟んで後半戦のキックオフから試合終了まで、さらには、選手インタビューのシーンまでが含まれ、Ｎ倍速で再生される。
【００５９】
オリジナル動画コンテンツ２００を視聴しているユーザは、選手入場シーンからキックオフ直後まではＮ倍速のまま流し見しているが、例えばキックオフの直後は、しばらく注目するために注目ボタン７４を操作して１倍速で視聴する。このように、ユーザは、自分が注目したいシーン、特に、ゴールシーンを含むシーンなどでは注目ボタン７４を操作して視聴していく。
【００６０】
動画処理装置１では、端末装置２からの視聴履歴（この場合は注目ボタン７４の操作情報）を収集しており、その収集結果に基づいて、ゴールシーンなどを含む注目度の高い再生区域を推定し、推定結果に基づいて加工動画コンテンツ１３３を生成する。
【００６１】
かかる加工動画コンテンツ１３３は、視聴履歴に応じて、例えば、選手入場シーンからキックオフ直後まではＮ倍速、試合前半のゴールシーンの前後のみ１倍速、前半と後半の間の休憩時間はＮ倍速、試合後半のゴールシーンの前後のみ１倍速、その後はＮ倍速で再生されるようになる。
【００６２】
なお、収集した視聴履歴の数が増えていくほど、注目度の推定精度が高くなるため、後からサッカーの試合を見るユーザほど、効率的にサッカー観戦を行えるようになる。そこで、動画配信サービスを実施する側では、オリジナル動画コンテンツ２００を、予め定められた複数の特定ユーザに視聴してもらい、その視聴履歴から加工動画コンテンツ１３３を生成することができる。つまり、所謂クラウドソーシングによって加工動画コンテンツ１３３を生成するのである。その結果、一般のユーザの端末装置２によるサッカー観戦は、同一の加工動画コンテンツ１３３のみで行われるようになり、一般ユーザの間では、すべて同じ再生態様でサッカーの試合が視聴されることになる。
【００６３】
［３．表示制御の一例］
ここで、実施形態に係る動画処理装置１の表示制御処理の流れについて説明する。図９は、実施形態に係る動画処理装置１による動画処理の一例を示すフローチャート、図１０は、実施形態に係る動画処理装置１による再生速度調整処理の一例を示すフローチャートである。
【００６４】
図９に示すように、動画処理装置１の制御部１２は、端末装置２からの動画配信要求を受付けるまで待機している（ステップＳ１０１：Ｎｏ）。動画配信要求を受け付けると（ステップＳ１０１：Ｙｅｓ）、配信要求されたオリジナル動画コンテンツ情報２００（Ｎ倍速）を、第１の配信部１２４ａが端末装置２に配信する（ステップＳ１０２）。
【００６５】
続いて、制御部１２は、オリジナル動画コンテンツ情報２００の配信先である端末装置２から視聴履歴を収集する（ステップＳ１０３）。この視聴履歴には、オリジナル動画コンテンツ２００の再生速度を示す情報またはオリジナル動画コンテンツ２００の再生位置を示す情報の少なくとも一方が含まれる。
【００６６】
次に、制御部１２は、収集された視聴履歴に基づいて再生速度を調整する（ステップＳ１０４）。
【００６７】
次に、制御部１２の第２の配信部１２４ｂは、再生速度が調整された加工動画コンテンツ１３３を端末装置２に配信する（ステップＳ１０５）。このときの加工動画コンテンツ１３３は、例えば、定速再生部ＳＰ１と高速再生部ＳＰ２（図１を参照）とが含まれるように全編編集された編集動画コンテンツである。
【００６８】
そして、制御部１２は、配信終了要求を受け付けるまで待機し（ステップＳ１０６：Ｎｏ）、配信終了要求を受け付けると（ステップＳ１０６：Ｙｅｓ）、この動画処理を終了する。
【００６９】
上述の処理において、ステップＳ１０１、ステップＳ１０２における端末装置２は、所謂クラウドソーシングのために参加しているものであってもよい。その場合、ステップＳ１０５の処理は、一般のユーザが有する端末装置２からの動画配信要求を受け付けたことを条件とする。
【００７０】
また、ステップＳ１０４における再生速度調整処理は、図１０に示すように、制御部１２は、先ず、ステップＳ１０３で収集した視聴履歴に基づいて、注目度に応じた複数の再生区域を推定する。すなわち、制御部１２は、視聴者の注目度の高い第１の再生区域と、注目度の低い第２の再生区域とを推定する（ステップＳ２０１）。次いで、制御部１２は、第１の再生区域が一定速度で再生され、第２の再生区域が一定速度よりも高速で再生されるように処理された加工動画コンテンツ１３３を生成し（ステップＳ２０２）、処理をステップＳ１０５に移す。
【００７１】
ところで、ステップＳ１０５において、端末装置２に配信される加工動画コンテンツ１３３は、定速再生部ＳＰ１と高速再生部ＳＰ２（図１を参照）とが含まれるように全編編集された編集動画コンテンツとした。しかし、加工動画コンテンツ１３３は、前述したように、再生情報としての定速再生フラグもしくは高速再生フラグが記録されたものであってもよい。
【００７２】
上述してきた実施形態によれば、コンピュータが実行する動画処理方法であって、収集工程と、推定工程と、調整工程とを有する動画処理方法を実現することができる。上記工程において、収集工程は、オリジナル動画コンテンツ２００の視聴履歴を収集する。推定工程は、収集工程によって収集された視聴履歴に基づき、注目度が高いと推定される第１の再生区域と注目度が低いと推定される第２の再生区域とを推定する。調整工程は、第２の再生区域の再生速度が、第１の再生区域の再生速度よりも速くなるように再生速度を調整する。
【００７３】
また、上述してきた実施形態によれば、コンピュータに、収集手順と、推定手順と、調整手順とを実行させる動画処理プログラムが実現される。上記手順において、収集手順は、オリジナル動画コンテンツ２００の視聴履歴を収集する。推定手順は、収集手順によって収集された視聴履歴に基づき、注目度が高いと推定される第１の再生区域と注目度が低いと推定される第２の再生区域とを推定する。調整手順は、第２の再生区域の再生速度が、第１の再生区域の再生速度よりも速くなるように再生速度を調整する。
【００７４】
上述してきたように、本実施形態に係る動画処理装置１、動画処理方法によれば、動画視聴者は、十分に内容を理解しつつ、短い時間で長編の動画コンテンツを楽しむことができる。
【００７５】
また、本実施形態に係る動画処理装置１は、視聴者の行動様式の一つである視聴履歴に基づいて、注目度が高いと推定される第１の再生区域と注目度が低いと推定される第２の再生区域とで再生速度が変わるように調整している。そこで、例えば、動画コンテンツに広告コンテンツを埋め込む場合、注目度が高いと推定された第１の再生区域の前後に広告コンテンツを埋め込むようにすれば、広告の訴求力が高まることが期待される。このように、本実施形態に係る動画処理方法などは、広告配信の分野に適用しても、大きな効果を期待することができる。
【００７６】
［４．その他の実施形態］
ところで、上述してきた動画処理装置１は、動画コンテンツを端末装置２に配信することを前提とした動画処理システム１００に含まれるものであった。しかし、動画処理装置１が単独で動画コンテンツの再生速度を自動的に調整するものであってもよい。例えば、ユーザがお気に入りの動画コンテンツがあり、それを複数回視聴している間に、その視聴履歴を収集し、収集された視聴履歴に基づいて、第１の再生区域（注目度：高）と第２の再生区域（注目度：低）を推定する。そして、推定結果に基づいて、第２の再生区域の再生速度が、第１の再生区域の再生速度よりも速くなるように動画コンテンツの再生速度を調整するのである。
【００７７】
かかる動画処理装置１であれば、自分の感覚にあった注目度に応じて、自動的に１倍速による再生シーンとＮ倍速による高速再生シーンとが含まれた加工動画コンテンツ１３３が生成される。そのため、オリジナル動画コンテンツ２００ではなく加工動画コンテンツ１３３であれば、内容を十分に楽しみながら視聴時間の節約を図ることができる。なお、この場合、上述してきた実施形態とは反対に、オリジナル動画コンテンツ２００はＮ倍速ではなく１倍速で再生されるものとし、視聴履歴は、早送り操作などとするとよい。
【００７８】
図１１は、上述した他の実施形態に係る動画処理の一例を示すフローチャートであり、図１２は、他の実施形態に係る再生速度調整処理の一例を示すフローチャートである。図１２に示すように、この場合の動画処理装置１の制御部１２は、オリジナル動画コンテンツ２００が再生されると、再生中の視聴履歴を収集する（ステップＳ３０１）。次いで、制御部１２は、収集された視聴履歴に基づいて再生速度を調整する（ステップＳ３０２）。
【００７９】
かかるステップＳ３０２における再生速度調整は、図１２に示すように処理することができる。すなわち、先ず、制御部１２は、ステップＳ３０１で再生された１倍速の動画コンテンツをコピーし、オリジナルを残し、コピーを加工してＮ倍速で再生される加工動画コンテンツ１３３を生成する（ステップＳ４０１）。
【００８０】
次いで、制御部１２は、ステップＳ３０１で収集した視聴履歴に基づいて、注目度に応じた複数の再生区域を推定する。すなわち、制御部１２は、先ず、第１の再生区域となる定速再生シーンを推定する（ステップＳ４０２）。そして、制御部１２は、定速再生シーンの始点および終点を示す情報を記憶する（ステップＳ４０３）。
【００８１】
また、制御部１２は、ステップＳ３０１で収集した視聴履歴に基づいて、第２の再生区域となる高速再生シーンを推定する（ステップＳ４０４）。そして、制御部１２は、高速再生シーンの始点および終点を示す情報を記憶する（ステップＳ４０５）。なお、ステップＳ４０２とステップＳ４０４、ステップＳ４０３とステップＳ４０５とは、入れ替えても構わない。
【００８２】
次いで、制御部１２は、記憶した再生シーンの始点および終点を示す情報に応じて、定速再生シーンであれば１倍速であるオリジナル動画コンテンツ２００を選択し、高速再生シーンであれば、加工動画コンテンツ１３３を選択して再生する（ステップＳ４０６）。
【００８３】
こうして、動画処理装置１は、単独であっても、動画コンテンツの再生速度を視聴者に合わせて自動的に調整することが可能となる。
【００８４】
なお、ここでは、再生シーンの始点および終点を示す情報を記憶して、再生速度が１倍速のオリジナル動画コンテンツ２００と、再生速度がＮ倍速の加工動画コンテンツ１３３とを利用して、動画コンテンツの再生速度を自動調整した。しかし、先の実施形態で説明したように、視聴履歴に応じた定速再生部ＳＰ１と高速再生部ＳＰ２（図１を参照）とが含まれるように全編編集された編集動画コンテンツを生成するようにしてもよい。そして、視聴履歴を更新する際に、かかる編集動画コンテンツを更新することもできる。
【００８５】
［５．ハードウェア構成］
上述してきた実施形態における動画処理装置１は、例えば、図１３に示すような構成のコンピュータ９０によって実現される。図１３は、動画処理装置１の機能を実現するコンピュータ９０の一例を示すハードウェア構成図である。
【００８６】
コンピュータ９０は、ＣＰＵ（Central  Processing  Unit）９１、ＲＡＭ（Random  Access  Memory）９２、ＲＯＭ（Read  Only  Memory）９３、ＨＤＤ（Hard  Disk  Drive）９４、通信インターフェース（Ｉ／Ｆ）９５、入出力インターフェース（Ｉ／Ｆ）９６、およびメディアインターフェース（Ｉ／Ｆ）９７を備える。
【００８７】
ＣＰＵ９１は、ＲＯＭ９３またはＨＤＤ９４に格納されたプログラムに基づいて動作し、各部の制御を行う。ＲＯＭ９３は、コンピュータ９０の起動時にＣＰＵ９１によって実行されるブートプログラムや、コンピュータ９０のハードウェアに依存するプログラム等を格納する。
【００８８】
ＨＤＤ９４は、ＣＰＵ９１によって実行されるプログラムおよび当該プログラムによって使用されるデータ等を格納する。通信インターフェース９５は、通信部１１に対応し、通信ネットワーク３を介して他の機器（例えば端末装置２）からデータを受信してＣＰＵ９１へ送り、ＣＰＵ９１が生成したデータを、通信ネットワーク３を介して他の機器（例えば端末装置２）へ送信する。
【００８９】
ＣＰＵ９１は、入出力インターフェース９６を介して、ディスプレイやプリンタ等の出力装置、および、キーボードやマウス等の入力装置を制御する。ＣＰＵ９１は、入出力インターフェース９６を介して、入力装置からデータを取得する。また、ＣＰＵ９１は、生成したデータを、入出力インターフェース９６を介して出力装置へ出力する。
【００９０】
メディアインターフェース９７は、記録媒体９８に格納されたプログラムまたはデータを読み取り、ＲＡＭ９２を介してＣＰＵ９１に提供する。ＣＰＵ９１は、当該プログラムを、メディアインターフェース９７を介して記録媒体９８からＲＡＭ９２上にロードし、ロードしたプログラムを実行する。記録媒体９８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００９１】
コンピュータ９０が動画処理装置１として機能する場合、コンピュータ９０のＣＰＵ９１は、ＲＡＭ９２上にロードされたプログラムを実行することにより、収集部１２１、推定部１２２、調整部１２３の各機能を実現する。また、ＨＤＤ９４は、記憶部１３の機能を実現し、動画処理プログラム１３１や動画再生アプリケーション１３４、コンテンツＤＢ１３２、加工動画コンテンツ１３３などが格納される。
【００９２】
コンピュータ９０のＣＰＵ９１は、これらのプログラムを、記録媒体９８から読み取って実行するが、他の例として、他の装置から、通信ネットワーク３を介してこれらのプログラムを取得してもよい。
【００９３】
［６．効果］
実施形態に係る動画処理装置１は、収集部１２１と、推定部１２２と、調整部１２３とを備えることとした。収集部１２１は、動画コンテンツの視聴履歴を収集する。推定部１２２は、収集部１２１によって収集された視聴履歴に基づいて、注目度に応じた複数の再生区域を推定する。調整部１２３は、複数の再生区域のうち、少なくとも一部の再生区域の再生速度を調整する。
【００９４】
したがって、動画処理装置１により処理された動画コンテンツを観る視聴者は、本来、それが長編の動画であっても、より短時間で十分に楽しむことができる。
【００９５】
また、視聴履歴には、動画コンテンツの再生速度を示す情報または動画コンテンツの再生位置を示す情報の少なくとも一方が含まれることとした。
【００９６】
したがって、かかる情報に基づいて、注目度が高いと推定される第１の再生区域と注目度が低いと推定される第２の再生区域とを精度よく推定することができる。
【００９７】
調整部１２３は、複数の再生区域のうち、注目度の高いと推定される第１の再生区域が一定速度で再生され、前記第１の再生区域よりも注目度が低いと推定される第２の再生区域が一定速度よりも高速で再生されるように処理された加工動画コンテンツ１３３を生成するコンテンツ加工部１２３ａを有することとした。
【００９８】
したがって、実施形態に係る動画処理装置１は、動画コンテンツを、ユーザの注目度が高いと推定される第１の再生区域は一定速度で再生されるように、また、ユーザの注目度が低いと推定される第２の再生区域は一定速度よりも高速で再生させることができる。
【００９９】
また、実施形態に係る動画処理装置１は、複数の端末装置２に動画コンテンツを配信する配信部１２４をさらに備えることとした。そして、収集部１２１は、配信部１２４により配信された動画コンテンツに対する端末装置２による視聴履歴を各端末装置２から収集して集計し、推定部１２２は、視聴履歴の集計結果に基づき推定される注目度に応じて第１の再生区域および第２の再生区域を推定する。
【０１００】
したがって、第１の再生区域および第２の再生区域の推定精度を高めることができ、動画処理装置１は、ユーザがより満足することのできる加工動画コンテンツ１３３を提供することが可能となる。
【０１０１】
また、実施形態に係る動画処理装置１の配信部１２４は、第１の配信部１２４ａと、第２の配信部１２４ｂとを有することとした。第１の配信部１２４ａは、再生速度をＮ倍速（Ｎ＞１）とした動画コンテンツを端末装置２に配信する。第２の配信部１２４ｂは、推定部１２２の推定結果に基づいて、第１の再生区域の再生速度が１倍速に、第２の再生区域の再生速度がＮ倍速となるように処理された加工動画コンテンツ１３３を端末装置２に配信する。
【０１０２】
そのため、動画処理装置１は、第２の再生区域の再生速度が、第１の再生区域の再生速度よりも速くなるように調整された動画コンテンツを、多大な負荷をかけることなく提供することができる。
【０１０３】
また、実施形態に係る動画処理装置１では、配信部１２４は、動画コンテンツおよびコンテンツ加工部１２３ａにより加工された加工動画コンテンツ１３３を再生する動画再生アプリケーション１３４を端末装置２に配信するアプリ配信部１２４ｃを備えることとした。
【０１０４】
したがって、所望する視聴履歴が取得しやすく設計された動画再生アプリケーション１３４を用いることで、ユーザの満足度の高い加工動画コンテンツ１３３を提供しやすくなる。
【０１０５】
また、動画再生アプリケーション１３４は、動画コンテンツの再生速度を変更する注目ボタン７４（速度変更ボタン）を端末装置２に表示することとした。
【０１０６】
したがって、ユーザの負担を軽減しながら、視聴履歴を容易に収集することができ、ひいてはユーザがより満足することのできる加工動画コンテンツ１３３を提供することが可能となる。
【０１０７】
注目ボタン７４（速度変更ボタン）が操作された場合、動画コンテンツは、注目ボタン７４（速度変更ボタン）の操作時点から所定時間巻き戻された位置から再生速度を落として再生されることとした。
【０１０８】
したがって、ユーザは注目シーンを見逃すことなく、じっくりと鑑賞することが可能となる。
【０１０９】
また、注目ボタン７４（速度変更ボタン）の操作時点から巻き戻される上記所定時間は、注目ボタン７４（速度変更ボタン）の操作時点における動画コンテンツの再生速度に基づいて決定されることとした。
【０１１０】
したがって、再生速度にかかわらず、同じシーンから１倍速で再生が開始されることになるため、オリジナル動画コンテンツ２００の再生速度がどのように設定されていても、ユーザは注目シーンを見逃すことなく、じっくりと鑑賞することが可能となる。
【０１１１】
動画再生アプリケーション１３４は、動画コンテンツおよび加工動画コンテンツ１３３を表示する主表示領域７０ａと、第１の副表示領域７１および第２の副表示領域７２を端末装置２に表示することとした。そして、第１の副表示領域７１は、主表示領域７０ａに表示されるシーンよりも前の先行シーンを表示し、第２の副表示領域７２は、主表示領域７０ａに表示されるシーンに続く後続シーンを表示する。
【０１１２】
したがって、再生中の動画の前後のシーンを同時に見ることができるため、注目ボタン７４の操作タイミングを失することを可及的に防止することができ、結果的に視聴履歴を取得しやすくなる。よって、ユーザの満足度の高い加工動画コンテンツ１３３を、より提供しやすくなる。
【０１１３】
［７．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１４】
上述してきた実施形態では、調整部１２３がコンテンツ加工部１２３ａを有するものとして説明したが、ここで、動画コンテンツの加工という概念は、主に、動画コンテンツの再生速度の調整を指すものである。したがって、加工動画コンテンツ１３３は、ここでは、主に再生速度が調整された動画コンテンツを指す。
【０１１５】
なお、オリジナル動画コンテンツ２００や加工動画コンテンツ１３３を端末装置２に配信する場合、ストリーム配信であってもダウンロード配信であっても構わない。
【０１１６】
上述した動画処理装置１を動画処理システム１００に組込む場合、複数のサーバコンピュータで実現してもよい。また、動画処理装置１としては、機能によっては外部のプラットフォーム等をＡＰＩ（Application  Programming  Interface）やネットワークコンピューティングなどで呼び出して実現するなど、構成は柔軟に変更できる。
【符号の説明】
【０１１７】
１  動画処理装置
２  端末装置
３  通信ネットワーク
１１  通信部
１２  制御部
１３  記憶部
７０ａ  動画再生メイン領域（主表示領域）
７１  第１サブ領域（第１の副表示領域）
７２  第２サブ領域（第２の副表示領域）
７４  注目ボタン
１２１  収集部
１２２  推定部
１２３  調整部
１２４  配信部
１２４ａ  第１の配信部
１２４ｂ  第２の配信部
１２４ｃ  アプリ配信部
１３３  加工動画コンテンツ
１３４  動画再生アプリケーション
【図１】
0006415206.tif 000002
【図２】
0006415206.tif 000003
【図３】
0006415206.tif 000004
【図４】
0006415206.tif 000005
【図５】
0006415206.tif 000006
【図６】
0006415206.tif 000007
【図７】
0006415206.tif 000008
【図８】
0006415206.tif 000009
【図９】
0006415206.tif 000010
【図１０】
0006415206.tif 000011
【図１１】
0006415206.tif 000012
【図１２】
0006415206.tif 000013
【図１３】
0006415206.tif 000014